(57)【要約】【課題】放送波をキャリア合成ダイバーシティで受信すると、感度はよくなるが必要以上に電力を消費する課題がある。【解決手段】放送波をダイバーシティで受信する際に、感度がよい際にはアンテナ選択方式で放送波を受信する。感度が悪いときにはキャリア合成ダイバーシティで受信する。さらに、キャリア合成ダイバーシティで受信する際には、受信する物理チャネルにおいてアンテナの利得が最も高いものから順に、十分な受信感度が得られるまでキャリア合成に用いるアンテナ系統を追加する。【選択図】図２
2009278503.tif 000002
【特許請求の範囲】
【請求項１】
放送波を受信しＲＦ信号を出力する複数のアンテナと、
前記複数のアンテナ各々に接続し、オン制御信号が動作実行を指示している場合には選局制御で指示された物理チャネルに対して周波数選択と周波数変換とＡＤ変換とＯＦＤＭ復調を行い復調信号として出力し、オン制御信号が動作停止を指示している場合には動作を休止する複数の受信処理手段と、
ダイバー方式切替信号がアンテナ選択ダイバーシティでの受信を指示している場合には受信情報に基づき前記複数の復調信号の中から最も受信状況の良い一つを選択し、ダイバー方式切替信号がキャリア合成ダイバーシティでの受信を指示している場合には動作を停止するアンテナ切替手段と、
アンテナ特性情報にて指示される前記複数のアンテナの優先順位に従って受信情報に基づき十分な受信状況が得られるまで前記複数の復調信号の中からキャリア合成に用いる信号を順次選択追加しキャリア合成を行い、前記複数の復調信号の中でどの復調信号を用いたかをキャリア合成アンテナ情報として出力するキャリア合成手段と、
受信情報から得られる受信状況に基づきアンテナ選択ダイバーシティで受信を行うか、キャリア合成ダイバーシティで受信を行うかを判断し、その判断結果をダイバー方式切替信号として出力し、アンテナ選択ダイバーシティで受信を行うと判断した場合には前記アンテナ切替手段から得られた切替出力をダイバー出力として出力し、キャリア合成ダイバーシティで受信を行うと判断した場合には前記キャリア合成手段から得られた合成出力をダイバー出力として出力するダイバー方式切替手段と、
前記ダイバー方式切替手段から出力されたダイバー出力を誤り訂正し、トランスポートストリームをＴＳ信号として出力し、受信状況を受信情報として出力する誤り訂正手段と、
前記ＴＳ信号に含まれる映像、音声、データを復号し、映像信号と音声信号を出力する映像音声復号手段と、
前記映像信号を表示する映像表示手段と、
前記音声信号を再生する音声再生手段と、
ユーザが視聴を希望するチャネルを入力するとその内容を選局指示情報として出力するユーザ入力手段と、
前記選局指示情報に基づき受信を行う物理チャネルの情報を選局制御情報として出力する
選局手段と、
前記ダイバーシティ選択情報がアンテナ選択ダイバーシティでの受信を指示している場合には前記アンテナ選択情報に基づき前記複数の受信処理手段のうちの一つに対して動作をオン状態とする指示を出力し、前記ダイバーシティ選択情報がキャリア合成ダイバーシティでの受信を指示している場合には前記キャリア合成アンテナ情報に基づき前記複数の受信処理手段のうち必要なものに対して動作をオン状態とする指示を出力するＲＦ制御手段と、
前記複数のアンテナの物理チャネル毎の利得の優劣を保持し、前記選局制御信号で示された物理チャネルでのアンテナ特性の優劣をアンテナ特性情報として出力するアンテナ特性格納手段とを備えることを特徴とするダイバーシティ受信テレビ。
【請求項２】
請求項１に記載のダイバーシティ受信テレビにおいて、
機器の内部に存在するノイズを収集する複数のノイズセンサと、
複数のアンテナうちの一つと、前記複数のノイズセンサうちの一つと、複数の受信処理手段のうちの一つに接続し、接続している前記受信処理手段が動作実行状態となった際に、接続している前記一つのアンテナから出力されたＲＦ信号に対して接続している前記一つのノイズセンサから出力されたノイズ成分を相殺し出力し、その際にノイズ成分の相殺量を受信情報から得られる受信状況が最良となる値に調整し、その結果を複数の受信処理手段に各々出力する複数のノイズ除去手段とを備えることを特徴とするダイバーシティ受信テレビ。
【請求項３】
請求項２に記載のダイバーシティ受信テレビにおいて、
前記ノイズ除去手段は、前記複数のアンテナのうちの一つと前記複数のノイズセンサのうちの一つと複数の受信処理手段のうちの一つにそれぞれ接続し、調整制御信号が動作開始を指示した際に受信情報に基づき受信状況が最も良くなる様に接続している前記一つのアンテナから出力されたＲＦ信号に対して接続している前記一つのノイズセンサから出力されたノイズ成分を位相及び振幅を調整し加算することで相殺しその結果を出力し、前記位相及び振幅を調整が終了した旨を終了信号で出力し、選局制御信号で示される物理チャネル毎に前記ノイズ成分を相殺した際の位相及び振幅の調整値を保持する調整制御付きノイズ除去手段であり、
前記ユーザ入力手段は、ユーザが視聴を希望するチャネルを入力するとその内容を選局指示情報として出力し、ユーザが視聴可能なチャネルの一覧であるチャネルリストの取得を入力するとその旨をチャネルリスト取得指示信号として出力するリスト対応ユーザ入力手段であり、
前記選局手段は、選局指示情報及びチャネルリスト用選局指示情報に基づき受信を行う物理チャネルを示す選局制御信号として出力するリスト対応選局手段であり、
前記ダイバー方式切替手段は、リスト生成信号がチャネルリストの生成を指示している場合にはキャリア合成ダイバーシティで受信を行うと判断しその結果をダイバー方式切替信号として出力し、リスト生成信号がチャネルリストの生成を指示していない場合には受信情報から得られる受信状況に基づきアンテナ選択ダイバーシティで受信を行うかキャリア合成ダイバーシティで受信を行うかを判断しその判断結果をダイバー方式切替信号として出力し、アンテナ選択ダイバーシティで受信を行うと判断した場合には前記アンテナ切替手段から得られた切替出力をダイバー出力として出力し、キャリア合成ダイバーシティで受信を行うと判断した場合には前記キャリア合成手段から得られた合成出力をダイバー出力として出力するリスト対応ダイバー方式切替手段であり、
前記キャリア合成手段は、複数の復調信号の中でどの復調信号を用いたかをキャリア合成アンテナ情報として出力し、リスト生成信号がチャネルリストの生成を指示している場合には全てのアンテ系統を用いてキャリア合成を行い、リスト生成信号がチャネルリストの生成を指示していない場合にはアンテナ特性情報にて指示される前記複数のアンテナの優先順位に従って受信情報に基づき十分な受信感度が得られるまで前記複数の復調信号の中からキャリア合成に用いる信号を順次選択追加しキャリア合成を行うリスト対応キャリア合成手段であり、
さらに、前記チャネルリスト取得指示信号によりチャネルリストの取得を指示されるとリストの生成動作中である旨を示すリスト生成信号を出力し、受信可能な放送の有無を調べる物理チャネルをチャネルリスト用選局指示情報として出力し、複数の前記調整制御付きノイズ除去手段の夫々に対して調整制御信号にてノイズ成分相殺を順次指示し受信情報に基づき受信可能な放送サービスがあると判断した物理チャネルをチャネルリストに登録するチャネルリスト生成手段を備えることを特徴とするダイバーシティ受信テレビ。
【請求項４】
放送波を受信しＲＦ信号を出力する複数のアンテナと、
前記複数のアンテナ各々に接続し、オン制御信号が動作実行を指示している場合には選局制御で指示された物理チャネルに対して周波数選択と周波数変換とＡＤ変換とＯＦＤＭ復調を行い復調信号として出力し、オン制御信号が動作停止を指示している場合には動作を休止する複数の受信処理ステップと、
ダイバー方式切替信号がアンテナ選択ダイバーシティでの受信を指示している場合には受信情報に基づき前記複数の復調信号の中から最も受信状況の良い一つを選択し、ダイバー方式切替信号がキャリア合成ダイバーシティでの受信を指示している場合には動作を停止するアンテナ切替ステップと、
アンテナ特性情報にて指示される前記複数のアンテナの優先順位に従って受信情報に基づき十分な受信状況が得られるまで前記複数の復調信号の中からキャリア合成に用いる信号を順次選択追加しキャリア合成を行い、前記複数の復調信号の中でどの復調信号を用いたかをキャリア合成アンテナ情報として出力するキャリア合成ステップと、
受信情報から得られる受信状況に基づきアンテナ選択ダイバーシティで受信を行うか、キャリア合成ダイバーシティで受信を行うかを判断し、その判断結果をダイバー方式切替信号として出力し、アンテナ選択ダイバーシティで受信を行うと判断した場合には前記アンテナ切替ステップから得られた切替出力をダイバー出力として出力し、キャリア合成ダイバーシティで受信を行うと判断した場合には前記キャリア合成ステップから得られた合成出力をダイバー出力として出力するダイバー方式切替ステップと、
前記ダイバー方式切替ステップから出力されたダイバー出力を誤り訂正し、トランスポートストリームをＴＳ信号として出力し、受信状況を受信情報として出力する誤り訂正ステップと、
前記ＴＳ信号に含まれる映像、音声、データを復号し、映像信号と音声信号を出力する映像音声復号ステップと、
前記映像信号を表示する映像表示ステップと、
前記音声信号を再生する音声再生ステップと、
ユーザが視聴を希望するチャネルを入力するとその内容を選局指示情報として出力するユーザ入力ステップと、
前記選局指示情報に基づき受信を行う物理チャネルの情報を選局制御情報として出力する
選局ステップと、
前記ダイバーシティ選択情報がアンテナ選択ダイバーシティでの受信を指示している場合には前記アンテナ選択情報に基づき前記複数の受信処理ステップのうちの一つに対して動作をオン状態とする指示を出力し、前記ダイバーシティ選択情報がキャリア合成ダイバーシティでの受信を指示している場合には前記キャリア合成アンテナ情報に基づき前記複数の受信処理ステップのうち必要なものに対して動作をオン状態とする指示を出力するＲＦ制御ステップと、
前記複数のアンテナの物理チャネル毎の利得の優劣を保持し、前記選局制御信号で示された物理チャネルでのアンテナ特性の優劣をアンテナ特性情報として出力するアンテナ特性格納ステップとを備えることを特徴とするダイバーシティテレビ受信方法。
【請求項５】
請求項４に記載のダイバーシティテレビ受信方法において、
機器の内部に存在するノイズを収集する複数のノイズセンサと、
複数のアンテナうちの一つと、前記複数のノイズセンサうちの一つと、複数の受信処理ステップのうちの一つに接続し、接続している前記受信処理ステップが動作実行状態となった際に接続している前記一つのアンテナから出力されたＲＦ信号に対して接続している前記一つのノイズセンサから出力されたノイズ成分を相殺し出力し、その際にノイズ成分の相殺量を受信情報から得られる受信状況が最良となる値に調整し、その結果を複数の受信処理ステップに各々出力する複数のノイズ除去ステップを備えることを特徴とする請求項４記載のダイバーシティテレビ受信方法。
【請求項６】
請求項５に記載のダイバーシティテレビ受信方法において、
前記ノイズ除去ステップは、前記複数のアンテナのうちの一つと前記複数のノイズセンサのうちの一つと複数の受信処理ステップのうちの一つにそれぞれ接続し、調整制御信号が動作開始を指示した際に受信情報に基づき受信状況が最も良くなる様に接続している前記一つのアンテナから出力されたＲＦ信号に対して接続している前記一つのノイズセンサから出力されたノイズ成分を位相及び振幅を調整し加算することで相殺しその結果を出力し、前記位相及び振幅を調整が終了した旨を終了信号で出力し、選局制御信号で示される物理チャネル毎に前記ノイズ成分を相殺した際の位相及び振幅の調整値を保持する調整制御付きノイズ除去ステップであり、
前記ユーザ入力ステップは、ユーザが視聴を希望するチャネルを入力するとその内容を選局指示情報として出力し、ユーザが視聴可能なチャネルの一覧であるチャネルリストの取得を入力するとその旨をチャネルリスト取得指示信号として出力するリスト対応ユーザ入力ステップであり、
前記選局ステップは、選局指示情報及びチャネルリスト用選局指示情報に基づき受信を行う物理チャネルを示す選局制御信号として出力するリスト対応選局ステップであり、
前記ダイバー方式切替ステップは、リスト生成信号がチャネルリストの生成を指示している場合にはキャリア合成ダイバーシティで受信を行うと判断しその結果をダイバー方式切替信号として出力し、リスト生成信号がチャネルリストの生成を指示していない場合には受信情報から得られる受信状況に基づきアンテナ選択ダイバーシティで受信を行うかキャリア合成ダイバーシティで受信を行うかを判断しその判断結果をダイバー方式切替信号として出力し、アンテナ選択ダイバーシティで受信を行うと判断した場合には前記アンテナ切替ステップから得られた切替出力をダイバー出力として出力し、キャリア合成ダイバーシティで受信を行うと判断した場合には前記キャリア合成ステップから得られた合成出力をダイバー出力として出力するリスト対応ダイバー方式切替ステップであり、
前記キャリア合成ステップは、複数の復調信号の中でどの復調信号を用いたかをキャリア合成アンテナ情報として出力し、リスト生成信号がチャネルリストの生成を指示している場合には全てのアンテ系統を用いてキャリア合成を行いリスト生成信号がチャネルリストの生成を指示していない場合にはアンテナ特性情報にて指示される前記複数のアンテナの優先順位に従って受信情報に基づき十分な受信感度が得られるまで前記複数の復調信号の中からキャリア合成に用いる信号を順次選択追加しキャリア合成を行うリスト対応キャリア合成ステップであり、
さらに、前記チャネルリスト取得指示信号によりチャネルリストの取得を指示されるとリストの生成動作中である旨を示すリスト生成信号を出力し、受信可能な放送の有無を調べる物理チャネルをチャネルリスト用選局指示情報として出力し、複数の前記調整制御付きノイズ除去ステップの夫々に対して調整制御信号にてノイズ成分相殺を順次指示し受信情報に基づき受信可能な放送サービスがあると判断した物理チャネルをチャネルリストに登録するチャネルリスト生成ステップを備えることを特徴とするダイバーシティテレビ受信方法。
【発明の詳細な説明】
【技術分野】
【０００１】
本発明は、ダイバーシティ受信を行うテレビおよびその受信方法に関するものである。
【背景技術】
【０００２】
近年、自動車に搭載するテレビやポータブルタイプのテレビにおいて、受信感度向上のためにダイバーシティ受信を採用するものが増えつつある。地上デジタル受信機に用いられるダイバーシティ方式には様々なものがあり、その中でも複数のアンテナを切り替え受信感度の良いアンテナを一つ選択する選択ダイバーシティと、複数のアンテナ系統から得られた各々の信号をＯＦＤＭ復調しそれらをキャリア合成することでより受信感度を向上するキャリア合成ダイバーシティが良く用いられ、このキャリア合成には等比合成や最大比合成といった方式がある。
【０００３】
キャリア合成ダイバーシティ受信は、マルチパス環境下において受信感度を向上できるため、ポータブルタイプのテレビにおいて有用であるが、その一方で消費電力が大きいことが問題となる。
【０００４】
この問題を解決するために、例えば特許文献１では以下のような方式を提案している。図１に特許文献１における装置の構成を図示する。特許文献１の方式では、受信状況が良いときには選択ダイバーシティ受信（シングル受信）を行うことで消費電力を削減し、受信状況が悪い時にはキャリア合成ダイバーシティで受信を行うことで受信感度を向上する。受信方法の判断はアンテナ選択部で行い、この判断に応じて選択合成部で選択ダイバーシティ受信またはキャリア合成ダイバーシティ受信のいずれかを行う。
【０００５】
しかしながら、上記の方法では受信状況が悪くキャリア合成によるダイバーシティ受信を行う際には、機器が備える全てのアンテナ系統を使用する。例えばアンテナ系統が４つある場合、受信状況によってはその全てを用いなくても受信できる場合もありうる。このため、一層の電力削減のためには、受信状況に応じたダイバーシティの系統数の増減を可能にすることが重要である。
【０００６】
さらにポータブルタイプのデジタルテレビやテレビ受信機能付きの携帯機器においては、スペースやデザインの制約からダイバーシティ受信用の複数のアンテナが必ずしも同一のアンテナであるとは限らない。地上デジタル放送はその放送帯域が広く、複数の異なるアンテナを用いる場合、物理チャネルによってアンテナ間での利得の優劣が異なる可能性がある。よって受信状況に応じたダイバーシティの系統数の増減を行う際にも、アンテナの特性を考慮した方式を用いないと、十分に感度が向上しない。
【特許文献１】特開２００６−２４６３６４号公報
【発明の開示】
【発明が解決しようとする課題】
【０００７】
本発明が解決しようとする課題は、受信状況が良いときにはアンテナ選択ダイバーシティを用いて受信することで消費電力を削減し、受信状況が悪い時にはキャリア合成ダイバーシティを用いて受信し受信感度を向上するテレビにおいて、受信感度の劣化に応じて一度に全てのアンテナ系統を使ってダイバーシティ受信を行うと必要以上に電力を消費することである。
【課題を解決するための手段】
【０００８】
本発明は、受信状況が良いときにはアンテナ選択ダイバーシティで受信することで消費電力を削減し、受信状況が悪い時にはキャリア合成ダイバーシティで受信するテレビ受信機において、現在受信しようとしている物理チャネルのアンテナの利得が最も高いものから順にアンテナ系統を選択しキャリア合成ダイバーシティ受信を行うことを主要な特徴とする。
【発明の効果】
【０００９】
本発明のダイバーシティ受信テレビは、受信状況の悪化に伴い現在受信しようとしている物理チャネルにおいて利得の高いアンテナを、順次キャリア合成ダイバーシティのアンテナ系統として追加していくことができるため、受信状況が悪化に応じて効率良くアンテナ系統を増加させ受信感度を向上させることができ、かつキャリア合成ダイバーシティ受信による消費電力の増加も抑えることができる。
【発明を実施するための最良の形態】
【００１０】
本発明を実施するための最良の形態は、受信状況が良いときにはアンテナ選択ダイバーシティで受信することで消費電力を削減し、受信状況が悪い時にはキャリア合成ダイバーシティで受信することが可能なポータブル型の地上デジタルテレビにおいて、受信状況の悪化に伴い現在受信しようとしている物理チャネルにおいて利得の高いアンテナを順次キャリア合成ダイバーシティのアンテナ系統として追加することができるため、電界強度の弱い場合には受信感度を向上し電界強度が強い場合では電力を削減することを可能にした。
【００１１】
（第一の実施の形態）
図２は、本発明の第一の実施の形態の構成図である。図２において、１０１〜１０４はアンテナ、１１１〜１１４は受信処理手段、１２１はキャリア合成手段、１２２はアンテナ切替手段、１２３はダイバー方式切替手段、１２４は誤り訂正手段、１２５は映像音声復号手段、１２６はアンテナ特性格納手段、１２７は選局手段、１２８はユーザ入力手段、１２９はＲＦ制御手段、１３０は映像表示手段、１３１は音声再生手段である。
【００１２】
以上のように構成したダイバーシティ受信テレビの動作を順に示す。アンテナ１０１、アンテナ１０２、アンテナ１０３、アンテナ１０４は地上デジタル放送を受信するアンテナである。本実施例ではアンテナは４つとして説明するが、特に４つに限定する必要はなく、アンテナが複数あれば良い。
【００１３】
一般にアンテナの利得は周波数に対してフラットではない。本実施例では、図３に示すように４つのアンテナの周波数特性がそれぞれ異なるものとする。例えば、物理チャネルＡではアンテナ１０１、アンテナ１０２、アンテナ１０３、アンテナ１０４の順にアンテナ利得が高く、物理チャネルＢではアンテナ１０３、アンテナ１０２、アンテナ１０１、アンテナ１０４の順にアンテナ利得が高い。
【００１４】
アンテナ特性格納手段１２６は、表１に示すように物理チャネル毎のアンテナ１０１〜１０４利得の優劣を格納している。選局制御信号で示された物理チャネルでのアンテナ特性の優劣をアンテナ特性情報として出力する。
【００１５】
【表１】
2009278503.tif 000003
【００１６】
受信処理手段１１１は、アンテナ１０１から得られたＲＦ信号１を選局制御信号で示された物理チャネルに対して周波数選択を行い、さらに周波数変換、ＡＤ変換、ＯＦＤＭ復調を行いその結果を復調信号１として出力する。また、受信処理手段１１１は、ＯＮ制御信号１により動作のオンオフを切り替えることができるため、動作させる必要がない場合には、動作をオフすることで消費電力を削減できる。受信処理手段１１２〜１１４についても受信処理手段１１１と同様に、入力されるＲＦ信号、選局制御信号、ＯＮ制御信号にしたがって復調信号を出力するものである。
【００１７】
アンテナ切替手段１２２は、ダイバー方式切替信号がアンテナ選択ダイバーシティでの受信を指示している場合には復調信号１〜４の中から１つを選択し切替出力として出力し、ダイバー方式切替信号がキャリア合成ダイバーシティでの受信を示している場合には動作を停止する。
【００１８】
ダイバー方式切替信号がアンテナ選択ダイバーシティでの受信を示している場合の復調信号１〜４の選択は、復調信号１、復調信号２、復調信号３、復調信号４の夫々を切替出力とした場合に得られる受信情報を比較し、最も良い受信感度の得られる復調信号を選択することで行う。このアンテナの選択の方法については特に限定する必要はない。例えば受信を行う物理チャネルで最も利得の高いアンテナから得られる復調信号を選択しても良い。さらにアンテナ切替手段１２２は、受信にどのアンテナを用いるかをアンテナ選択情報にて出力する。
【００１９】
キャリア合成手段１２１は、ダイバー方式切替信号がアンテナ選択ダイバーシティでの受信を指示している場合には動作を停止し、キャリア合成ダイバーシティでの受信を指示している場合には、以下の手順でキャリア合成ダイバーシティ受信を行う。
【００２０】
アンテナ特性情報より受信する物理チャネルにおいて最も受信感度が高いアンテナと２番目に受信感度が高いアンテナを選択する。仮に物理チャネルＡで受信する場合であれば、アンテナ１０１とアンテナ１０２を選択する。アンテナ１０１には受信処理手段１１１が、アンテナ１０２には受信処理手段１１２がそれぞれ接続されているため、これら２つの系統を経由した復調信号１と復調信号２を用いてキャリア合成を行いその結果を合成出力として出力する。この合成出力は後述のダイバー方式切替手段１２３及び誤り訂正手段１２４を介して処理され、その受信状況は受信情報として誤り訂正手段１２４からフィードバックされる。
【００２１】
本実施の形態では、受信情報としてビットエラーレートが送られて来るものとする。誤り訂正手段１２４は、現時点での受信可否の判断はこの数値の大小に基づいて行う。地上デジタル放送の受信状況の指標として、ビットエラーレートは良く用いられており、受信機においてビタビ復号後のビットエラーレートが２×０．０００１以下であれば、リードソロモン復号でエラー訂正が可能な擬似エラーフリーとなる。なお、受信情報はＣ／Ｎ比を用いても、Ｃ／Ｎ比とビットエラーレートの両方で用いても良い。
【００２２】
受信情報から必要な受信感度が得られていないと判断した場合には、この物理チャネルにおいて次に受信感度の良いアンテナを選択し、３つの系統を用いたキャリア合成を行う。物理チャネルＡでの受信では、アンテナ１０３に接続される系統が追加され、復調信号１と復調信号２と復調信号３の３つでキャリア合成を行う。そしてキャリア合成の結果を合成出力に出力し、その受信状況を受信情報から得る。さらに受信感度が十分でない場合には、アンテナ１０４をキャリア合成に追加する。またキャリア合成手段１２１は、どのアンテナをキャリア合成で用いるかをキャリア合成アンテナ情報で出力する。なお、キャリア合成の方式は特に限定する必要はなく、等比合成でも最大比合成で構わない。
誤り訂正手段１２４は、ダイバー出力を誤り訂正し、トランスポートストリームをＴＳ信号として出力する。同時に受信状況を受信情報として出力する。本実施の形態ではこの受信情報は、ビットエラーレートとする。しかしながら受信情報としてはＣ／Ｎ比で用いても、Ｃ／Ｎ比とビットエラーレートの両方を用いても良い。
【００２３】
ダイバー方式切替手段１２３は、受信情報から得られる受信状況に基づき、受信状況が良い場合にはアンテナ選択ダイバーシティでの受信を行うために切替出力をダイバー出力として出力し、アンテナ選択ダイバーシティで受信を行う旨をダイバー方式切替信号にて出力する。一方、受信状況が悪い場合にはキャリア合成ダイバーシティで受信を行うために合成出力をダイバーシティ出力として出力し、キャリア合成ダイバーシティで受信を行う旨をダイバー方式切替信号にて出力する。
【００２４】
映像音声復号手段１２５は、ＴＳ信号に含まれる映像、音声、データを復号し、その結果を映像信号及び音声信号として出力する。映像表示手段１３０は、映像信号の表示を行う。特にこの表示手段については限定しない。音声再生手段１３１は、音声信号の再生を行う。特にこの手段については限定しない。なおこの映像表示手段１３０及び音声再生手段１３１は特に設けず映像信号及び音声信号のみを出力しても問題はない。
【００２５】
ユーザ入力手段１２８は、機器に対するユーザの操作を入力する手段であり、一般にはリモコンや操作ボタンであるがこの形態を限定する必要はない。本実施の形態では、ユーザが視聴を希望するチャネルを入力するとその内容を選局指示情報として出力する。選局手段１２７は、選局指示情報に基づき受信を行う物理チャネルの情報を選局制御信号として出力する。
【００２６】
ＲＦ制御手段１２９は、ダイバーシティ選択情報がアンテナ選択ダイバーシティでの受信を指示している場合には、アンテナ選択情報に基づきＯＮ制御信号１〜４を制御し、ダイバーシティ選択情報がキャリア合成ダイバーシティでの受信を指示している場合には、キャリア合成アンテナ情報に基づきＯＮ制御信号１〜４を制御する。アンテナ選択ダイバーシティで受信を行う場合の動作を表２に示す。表２に示すとおり、アンテナ選択情報でアンテナ１０１が選択されているとすると、このアンテナに接続する受信処理手段１１１の動作を制御するＯＮ制御１のみをオンとして、ＯＮ制御信号２〜３はオフとする。
【００２７】
【表２】
2009278503.tif 000004
【００２８】
次にキャリア合成ダイバーシティで受信を行う場合の動作について示す。この場合は復調信号１〜４の中のどの信号がキャリア合成に用いられるかを示すキャリア合成アンテナ情報に基づき、アンテナ１０１がキャリア合成に用いられる場合にはＯＮ制御１をオンとし、アンテナ１０２がキャリア合成に用いられる場合にはＯＮ制御２をオンとし、アンテナ１０３がキャリア合成に用いられる場合にはＯＮ制御３をオンとし、アンテナ１０４がキャリア合成に用いられる場合にはＯＮ制御４をオンとする。即ちアンテナ選択ダイバーシティでの受信の場合と異なり、ＯＮ制御１〜ＯＮ制御４のうち複数の信号がオンとなる。
【００２９】
このような構成を採用したので、受信感度の劣化に伴い現在受信しようとしている物理チャネルにおいて利得の高いアンテナを、逐次キャリア合成ダイバーシティのアンテナ系統として追加していくことができるため、受信感度劣化に伴い効率良くアンテナ系統を増加させることができ、かつキャリア合成ダイバーシティ受信による消費電力の増加も抑えることができる。
なお、本実施の形態はデジタルテレビ放送を受信する端末としての構成例を示したが、ラジオや通信機においても同様の効果を得ることができる。
【００３０】
（第二の実施の形態）
図４は、本発明の第二の実施の形態の構成図である。図４において、１０１〜１０４はアンテナ、１１１〜１１４は受信処理手段、１２１はキャリア合成手段、１２２はアンテナ切替手段、１２３はダイバー方式切替手段、１２４は誤り訂正手段、１２５は映像音声復号手段、１２６はアンテナ特性格納手段、１２７は選局手段、１２８はユーザ入力手段、１２９はＲＦ制御手段、１３０は映像表示手段、１３１は音声再生手段、２２１〜２２４はノイズセンサ、２１１〜２１４はノイズ除去手段である。ノイズ除去手段２１１〜２１４、ノイズセンサ２２１〜２２４以外は第一の実施の形態で同じであるため説明を省略する。
【００３１】
ノイズセンサ２２１〜２２４は、機器の内部に存在するデジタル放送の周波数帯のノイズを収集するためのアンテナである。このノイズセンサ２２１〜２２４の形状や配置場所については特に限定しない。機器内部に配置する場合には誘電体アンテナやプリント基板上のパターンアンテナといった小型アンテナが好適である。ノイズセンサ２２１は収集したノイズをノイズ１として出力し、ノイズセンサ２２２は収集したノイズをノイズ２として出力し、ノイズセンサ２２３は収集したノイズをノイズ３として出力し、ノイズセンサ２２４は収集したノイズをノイズ４として出力する。
【００３２】
ノイズ除去手段２１１は、ＲＦ信号１からノイズ１のノイズ成分を相殺し、ＲＦ信号５として出力する。ノイズ除去手段の内部構成を図５、ノイズ除去の様子を図６に示す。図６で示すようにＲＦ信号１は地上デジタル放送をアンテナ１０１により受信したものであり、希望波である地上デジタル放送のスペクトラムと妨害波であるノイズ成分とが重なっている。ノイズ１は、ノイズセンサ２２１より得られたノイズ成分である。このノイズ１に対して、乗算器２１１−ｂで振幅の調整を行い、位相制御器２１１−ｃで位相量の調整を行い、加算器２１１−ａで相殺処理を行う。振幅値及び位相量の調整はＯＮ制御１で示す制御がオフからオンに変化した際に、即ち受信処理手段１１１の動作が有効になった際に行う。さらにこの振幅値及び位相量の調整は、受信情報に内包されるビットエラーレートが最小となるべく調整を行う。この調整アルゴリズムについては特に限定しない。
【００３３】
ノイズ除去手段２１２〜２１４についても、ノイズ除去手段２１１と同様に入力されたＲＦ信号、ノイズ、受信情報、ＯＮ制御信号に応じて処理を行うものである。なお、ノイズ除去手段２１１〜２１４において、相殺の方法については特に限定する必要はない。
【００３４】
このような実施の形態を採用したので、受信感度の劣化に伴い現在受信しようとしている物理チャネルにおいて利得の高いアンテナを、逐次キャリア合成ダイバーシティのアンテナ系統として追加し、併せてアンテナを追加する際にはアンテナ系統へ混入するノイズ除去を行うため、受信感度劣化に伴い効率良くアンテナ系統を増加させることができ、かつキャリア合成ダイバーシティ受信による消費電力の増加も抑えることができる。なお、本実施の形態はデジタルテレビ放送を受信する端末としての構成例を示したが、ラジオや通信機においても同様の効果を得ることができる。
【００３５】
（第三の実施の形態）
図７は、本発明の第三の実施の形態の構成図である。図７において、１０１〜１０４はアンテナ、１１１〜１１４は受信処理手段、３２１はリスト対応キャリア合成手段、１２２はアンテナ切替手段、３２３はリスト対応ダイバー方式切替手段、１２４は誤り訂正手段、１２５は映像音声復号手段、１２６はアンテナ特性格納手段、３２７はリスト対応選局手段、３２８はリスト対応ユーザ入力手段、１２９はＲＦ制御手段、１３０は映像表示手段、１３１は音声再生手段、２２１〜２２４はノイズセンサ、３１１〜３１４は調整制御付きノイズ除去手段、３３１はチャネルリスト生成手段である。リスト対応キャリア合成手段３２１、リスト対応ダイバー方式切替手段３２３、リスト対応選局手段３２７、リスト対応ユーザ入力手段、調整制御付きノイズ除去手段３１１〜３１４、チャンネルリスト生成手段３３１以外は第二の実施の形態と同じであるので説明を省略する。
【００３６】
調整制御付きノイズ除去手段３１１は、ＲＦ信号１からノイズ１のノイズ成分を相殺し、ＲＦ信号５として出力する。ノイズ除去の方法は本発明の第二の実施の形態で示したノイズ除去手段２１１に準ずるので以下に差分を記載する。第二の実施の形態で示したノイズ除去手段２１１では、ノイズ除去のための振幅値及び遅延値の調整はＯＮ制御１で示す制御がオフからオンに変化した際に、即ち受信処理手段１１１の動作が有効になった際に行ったが、調整制御付きノイズ除去手段３１１では、調整制御信号１が振幅値と遅延値の調整を指示した場合に行う。さらに振幅値と遅延値の調整が終わると、選局制御信号から得られる現在の物理チャネル毎に調整済みの振幅値と遅延値を保持する。また、調整制御信号１がノイズ除去のための振幅値と遅延値の調整を指示していない場合には、物理チャネルにおける振幅値と遅延値が予め内部に保存されていればその値を用いてノイズ成分を相殺する。
【００３７】
調整制御付きノイズ除去手段３１２〜３１４についても、それぞれのＲＦ信号２〜４、ノイズ２〜４、調整制御信号２〜４に応じて調整制御付きノイズ除去手段３１１と同様の処理を行い、ＲＦ信号６〜８を出力する。
リスト対応ダイバー方式切替手段３２３は、リスト生成信号がチャネルリストの生成を指示している場合には、キャリア合成ダイバーシティで受信を行う旨をダイバー方式切替信号で出力し、合成出力をダイバー出力として出力する。リスト生成信号がチャネルリストの生成を指示していない場合には、第二の実施の形態におけるダイバー方式切り替え手段１２３と同様の処理を行う。
【００３８】
リスト対応キャリア合成手段３２１は、ダイバー方式切替信号がアンテナ選択ダイバーシティでの受信を指示している場合には動作を停止し、キャリア合成ダイバーシティでの受信を指示している場合には、以下の手順でキャリア合成を行う。
【００３９】
まず、リスト生成信号がチャネルリストの生成を指示している場合には、全てのアンテ系統を用いてキャリア合成を行い、その結果を合成出力として出力する。リスト生成信号がチャネルリストの生成を指示していない場合には、第二の実施の形態におけるキャリア合成手段１２１と同様の処理を行う。
【００４０】
リスト対応選局手段３２７は、選局指示情報及びチャネルリスト用選局指示情報に基づき受信を行う物理チャネルの情報を選局制御信号として出力する。
【００４１】
リスト対応ユーザ入力手段３２８は、機器に対するユーザの操作を入力する手段であり、一般にはリモコンや操作ボタンであるがこの形態を限定する必要はない。本実施の形態では、ユーザが視聴を希望するチャネルを入力するとその内容を選局指示情報として出力し、ユーザが視聴可能なチャネルの一覧であるチャネルリストの取得を入力するとその内容をチャネルリスト取得指示信号として出力する。
【００４２】
チャネルリスト生成手段３３１は、チャネルリスト取得指示信号によりチャネルリストの取得を指示されると、各物理チャネルにおいて調整制御付きノイズ除去手段３１１〜３１４におけるノイズ成分相殺の指示と受信可能な放送サービスの有無の調査を行い、チャネルリストを生成する。図８のチャネルリスト生成手段における動作のフローチャートを示す。
【００４３】
初めにリスト対応ユーザ入力手段３２８からチャネルリスト取得指示信号にてチャネルリストの生成を指示されると、図８のフローチャートのステップＳ１を実行する。
ステップＳ１では、チャネルリスト用選局指示情報を用いて受信可能な放送の有無を調べる物理チャネルをリスト対応選局手段３２７に通知する。またリスト生成信号を用いてチャネルリスト生成の作業中であることをリスト対応キャリア合成手段３２１とリスト対応ダイバー方式切替手段３２３に通知する。本実施の形態では調査対象となる物理チャネルの小さいものから順次調べていくと仮定するが、この順番については特に限定する必要はない。
【００４４】
前述の通りリスト生成信号がチャネルリストの生成を指示している場合には、リスト対応ダイバー方式切替手段３２３はキャリア合成ダイバーシティで受信を行う旨をダイバー方式切替信号で出力し、合成出力をダイバー出力として出力し、さらにリスト対応キャリア合成手段３２１は全てのアンテ系統を用いてキャリア合成を行い、その結果を合成出力として出力する。
【００４５】
次にステップＳ２では、調整制御付きノイズ除去手段３１１に対して調整制御信号１を用いてノイズ除去のための振幅値と位相量の調整を指示する。そして調整制御付きノイズ除去手段を３１１が終了信号１にてノイズ除去のための振幅値と遅延値の調整が終了した旨を通知して来るとステップＳ３に遷移する。ステップＳ３、ステップＳ４、ステップＳ５は調整制御付きノイズ除去手段３１２〜３１４において同様の処理を繰り返すので説明を省略する。ステップＳ５が終了するとステップＳ６へ遷移する。
【００４６】
ステップＳ６では、現在の物理チャネルにおいて受信可能な放送がある場合には、その内容を保持する。現在の物理チャネルにおける受信可能な放送の有無は受信情報に基づき判断する。具体的には受信情報としてビットエラーレートが送られて来るため、この数値を用いて判断する。地上デジタル放送の受信状況の指標として、ビットエラーレートは良く用いられており、受信機においてビタビ復号後のビットエラーレートが２＊１０−４以下であれば、リードソロモン復号でエラー訂正が可能な擬似エラーフリーとなる。
【００４７】
なお、ステップＳ２〜Ｓ５での処理の順番については特に限定する必要はない。この順番は物理チャネル毎に異なっていても良く、その際アンテナ１０１〜１０４のアンテナ特性に基づき順番を決定しても良い。
【００４８】
ステップＳ７では、現在チャネルリスト用選局指示情報が示している物理チャネルが調査対象となる最終のチャネルである場合はステップＳ９へと遷移し、そうでない場合にはステップＳ８へと遷移する。
【００４９】
ステップＳ８では、チャネルリスト用選局指示情報が示している物理チャネルを調査対象となる次の物理チャネルに変更し、再びステップＳ１へと遷移する。ステップＳ９では、ステップＳ６において保持した受信可能な放送に関する情報に基づきチャネルリストを生成する。生成したチャネルリストの表示方法については、特に限定しない。映像表示手段１３０の表示領域の一部または全部に表示されるものであっても良い。またリスト生成信号を用いてチャネルリスト生成の作業が終了したことをリスト対応キャリア合成手段３２１とリスト対応ダイバー方式切替手段３２３に通知する。
【００５０】
このような実施の形態を採用したので、受信感度の劣化に伴い現在受信しようとしている物理チャネルにおいて利得の高いアンテナを、逐次キャリア合成ダイバーシティのアンテナ系統として追加し、併せてアンテナを追加する際にはアンテナ系統へ混入するノイズ除去を行うため、受信感度劣化に伴い効率良くアンテナ系統を増加させることができ、かつキャリア合成ダイバーシティ受信による消費電力の増加も抑えることができる。
加えてノイズ除去の効果を最適とするためのパラメータ調整をチャネルリスト生成時に予め行うため、急激に受信感度が劣化して場合でも、直ちにノイズ除去の効果を得ることができる。
【００５１】
なお、本実施の形態はデジタルテレビ放送を受信する端末としての構成例を示したが、ラジオや通信機においても同様の効果を得ることができる。さらに本実施の形態では、ノイズ除去のための制御値の調整をチャネルリスト生成時に行ったが、チャネルリスト生成後にチャネルリスト表示期間中に行っても良い。
【産業上の利用可能性】
【００５２】
本発明にかかるダイバーシティ受信テレビは、受信感度の劣化に伴い現在受信しようとしている物理チャネルにおいて利得の高いアンテナを、キャリア合成ダイバーシティを行うアンテナ系統として逐次追加していくことができるため、受信感度劣化に伴い効率良くアンテナ系統を増加さことができ、かつキャリア合成ダイバーシティ受信による消費電力の増加も抑えることができるため、特にポータブル型のテレビにとって有効である。
【図面の簡単な説明】
【００５３】
【図１】従来のダイバーシティ受信装置の構成を示した説明図
【図２】第一の実施の形態におけるダイバーシティ受信テレビのブロック図
【図３】複数アンテナの周波数特性例を示した図
【図４】第二の実施の形態におけるダイバーシティ受信テレビのブロック図
【図５】ノイズ除去手段の機能構成を示したブロック図
【図６】ノイズ除去手段でのノイズ除去の様子を示した説明図
【図７】第三の実施の形態におけるダイバーシティ受信テレビのブロック図
【図８】チャネルリスト生成手段における動作のフローチャート
【符号の説明】
【００５４】
１０１、１０２、１０３、１０４    アンテナ
１１１、１１２、１１３、１１４    受信処理手段
１２１    キャリア合成手段
１２２    アンテナ切替手段
１２３    ダイバー方式切替手段
１２４    誤り訂正手段
１２５    映像音声復号手段
１２６    アンテナ特性格納手段
１２７    選局手段
１２８    ユーザ入力手段
１２９    ＲＦ制御手段
１３０    映像表示手段
１３１    音声再生手段
２１１、２１２、２１３、２１４    ノイズ除去手段
２２１、２２２、２２３、２２４    ノイズセンサ
３１１、３１２、３１３、３１４    調整制御付きノイズ除去手段
３２１    リスト対応キャリア合成手段
３２３    リスト対応ダイバー方式切替手段
３２７    リスト対応選局手段
３２８    リスト対応ユーザ入力手段
３３１    チャネルリスト生成手段
【図１】
2009278503.tif 000005
【図２】
2009278503.tif 000006
【図３】
2009278503.tif 000007
【図４】
2009278503.tif 000008
【図５】
2009278503.tif 000009
【図６】
2009278503.tif 000010
【図７】
2009278503.tif 000011
【図８】
2009278503.tif 000012